(57)【要約】  本発明は、それぞれ対応する結合部分を介して互いに結合可能な２つの部分から成るハウジングを有し、取付側から結合部分に向かって第１の方向へ延在する第１のハウジング部分と、結合部分から差し込み側部分に向かって前記第１の方向に対して横切る方向を向いた第２の方向へ延在する第２のハウジング部分と、前記第１のハウジング部分に対して前記第２の方向に差し込んで取り付けるためのアダプタ部材と、少なくとも１つのコンタクト要素を受け入れるためのコンタクト本体部とから成る電気的アングルコネクタと、このようなアングルコネクタを取り付けるための方法とに関するものである。前記アダプタ部材が、前記第１のハウジング部分へ完全に差し込まれて取り付けられた状態において、少なくとも部分的に前記第２のハウジング部分内へ延在しており、前記コンタクト本体部が、結合手段を介して前記アダプタ部材に取り外し可能に保持され、前記結合手段を用いて、前記第２の方向への軸方向の変位に抗して固定されている。【選択図】図１
2019520685.tif 000002
【特許請求の範囲】
【請求項１】
それぞれ対応する結合部分（１０ｂ，２０ｂ）を介して互いに結合可能な２つの部分からなるハウジングを有し、取付側（１０ａ）から結合部分（１０ｂ）に向かって第１の方向（Ｘ）へ延在する第１のハウジング部分（１０）と、結合部分（２０ｂ）から差し込み側部分（２０ａ）に向かって前記第１の方向（Ｘ）に対して横切る方向を向いた第２の方向（Ｙ）へ延在する第２のハウジング部分（２０）と、前記第１のハウジング部分（１０）に対して前記第２の方向（Ｙ）に差し込んで取り付けるためのアダプタ部材（３０）と、少なくとも１つのコンタクト要素を受け入れるためのコンタクト本体部（４０）とからなる電気的なアングルコネクタ（１）であって、前記アダプタ部材（３０）が、前記第１のハウジング部分（１０）へ完全に差し込まれて取り付けられた状態において、少なくとも部分的に前記第２のハウジング部分（２０）内へ延在しており、前記コンタクト本体部（４０）が、結合手段（６０，６１）を介して前記アダプタ部材（３０）に取り外し可能に保持されるとともに、前記結合手段（６０，６１）によって前記第２の方向（Ｙ）への軸方向の変位に抗して固定されている、前記電気的アングルコネクタ。
【請求項２】
前記アダプタ部材（３０）が、少なくとも部分的にＣ字状の輪郭部を有しており、該輪郭部へ前記コンタクト本体部（４０）を受け入れることを特徴とする請求項１に記載の電気的アングルコネクタ（１）。
【請求項３】
前記結合手段（６０，６１）が、前記コンタクト本体部（４０）に形成された溝、および前記アダプタ部材（３０）に形成されかつ該溝に対応して該溝に係合する突起部からなるか、、又はこの逆であることを特徴とする請求項１又は２に記載の電気的アングルコネクタ（１）。
【請求項４】
前記アダプタ部材（３０）における前記溝が、上方へ開口した溝として形成されていることを特徴とする請求項３に記載の電気的アングルコネクタ（１）。
【請求項５】
前記コンタクト本体部（４０）における前記溝が、リング状に周設されて形成されていることを特徴とする請求項３に記載の電気的アングルコネクタ（１）。
【請求項６】
少なくとも１つのコード化溝又はコード化リブが、前記コンタクト本体部（４０）の端面から始まって前記第２の方向（Ｙ）へ延在しているとともに、前記コンタクト本体部（４０）の外側ジャケットにおける少なくとも１つの位置に設けられており、コンタクト本体部のカウンタパートが、対応する少なくとも１つのコード化リブ又はコード化溝を備えていることを特徴とする請求項１〜５のうちのいずれか１項に記載の電気的アングルコネクタ（１）。
【請求項７】
前記アダプタ部材（３０）がコンタクト本体部のカウンタパートであることを特徴とする請求項６に記載の電気的アングルコネクタ（１）。
【請求項８】
２つの部分からなるケーブルガイド通路（１１，２１）が、前記取付側（１０ａ）から差し込み側部分（２０ａ）へ形成されており、第１のケーブルガイド通路部分（１１）が、前記第１のハウジング部分（１０）を通って前記取付側（１０ａ）から結合部分（１０ｂ）へ延在しており、第２のケーブルガイド通路部分（２１）が、前記第２のハウジング部分（２０）を通って結合部分（２０ｂ）から前記第２のハウジング部分（２０）の前記差し込み側部分（２０ａ）の方向へ延在していることを特徴とする請求項１〜７のうちのいずれか１項に記載の電気的アングルコネクタ（１）。
【請求項９】
前記コンタクト本体部（４０）と前記第２のハウジング部分（２０）の間に第１のシールが設けられていることを特徴とする請求項１〜８のうちのいずれか１項に記載の電気的アングルコネクタ（１）。
【請求項１０】
前記第１のハウジング部分（１０）と前記第２のハウジング部分（２０）の間に第２のシールが設けられており、好ましくは、該シールが、前記第１のハウジング部分（１０）の外側ジャケットに形成された溝状の収容部に設けられていることを特徴とする請求項１〜９のうちのいずれか１項に記載の電気的アングルコネクタ（１）。
【請求項１１】
前記２つの部分からなるハウジング（１０，２０）が金属材料を含んでいることを特徴とする請求項１〜１０のうちのいずれか１項に記載の電気的アングルコネクタ（１）。
【請求項１２】
請求項１〜１１のうちのいずれか１項に記載のアングルコネクタを取り付けるための方法であって、
１つ又は複数のケーブルを、ケーブルガイド通路（１１）を通して第１のハウジング部分（１０）の取付側（１０ａ）から前記第１のハウジング部分（１０）の結合部分（１０ｂ）まで通すステップと、
１つ又は複数のケーブルを少なくとも１つのコンタクト要素へ接続し、該コンタクト要素をその端部位置又は係止位置でコンタクト本体部（４０）へ差し込むステップと、
前記コンタクト本体部（４０）が結合手段（６０，６１）によって保持されるように、前記コンタクト本体部（４０）をその取付位置においてアダプタ部材（３０）へ差し込み、これにつづいて、前記第１のハウジング部分（１０）に前記アダプタ部材（３０）を取り付け、その結果、前記コンタクト本体部（４０）が前記アダプタ部材（３０）を介して前記第１のハウジング部分（１０）に結合されるか、又はこれに代えて前記アダプタ部材（３０）をその取付位置において前記第１のハウジング部分（１０）へ差し込み、これにつづいて、前記コンタクト本体部（４０）を前記アダプタ部材（３０）に取り付け、その結果、前記コンタクト本体部（４０）が前記結合手段（６０，６１）によって保持されるステップと、
前記第２のハウジング部分（２０）と前記コンタクト本体部（４０）の間の第１のシールと、前記第１のハウジング部分（１０）と前記第２のハウジング部分（２０）の間の第２のシールが密閉されるように、前記結合部分（１０ｂ，２０ｂ）が互いに重なるまで前記第２のハウジング部分（２０）を前記コンタクト本体部（４０）を越えて押し込むステップと、
前記第２のハウジング部分（２０）を前記第１のハウジング部分（１０）に固定するステップとを備えた前記方法。
【発明の詳細な説明】
【技術分野】
【０００１】
本発明は、電気的アングルコネクタの取付容易な実施形態に関するものである。
【背景技術】
【０００２】
アングルコネクタの様々な実施形態が従来技術から既に知られている。しかしながら、アングルプラグの取付、特にアングルコネクタのコンタクト要素へのケーブルの接続は、多くの場合、非常に手間のかかるものである。なぜなら、コンタクト要素は、アングルコネクタの形状によりアクセスが困難なためである。
【発明の概要】
【発明が解決しようとする課題】
【０００３】
そのため、本発明の基礎をなす課題は、上述の欠点を克服するとともに、取付時にコンタクト要素が容易にアクセス可能であり、これにより取付プロセス全体が他のアングルコネクタの場合よりも単純に構成された、取付容易なアングルコネクタを提供することである。
【課題を解決するための手段】
【０００４】
当該課題は、請求項１による特徴の組合せにより解決される。
【０００５】
したがって、本発明によれば、それぞれ対応する結合部分を介して互いに結合可能な２つの部分からなるハウジングを有する電気的アングルコネクタが提案される。取付側から結合部分に向かって第１の方向へ延在する第１のハウジング部分と、結合部分から差し込み側部分に向かって前記第１の方向に対して横切る方向をに向いた第２の方向へ延在する第２のハウジング部分とで構成されたハウジングは、更に、前記第１のハウジング部分に対して前記第２の方向に差し込んで取り付けるためのアダプタ部材と、少なくとも１つのコンタクト要素を受け入れるためのコンタクト本体部とで構成されており、前記アダプタ部材が、前記第１のハウジング部分へ完全に差し込まれて取り付けられた状態において、少なくとも部分的に前記第２のハウジング部分内へ延在しており、前記コンタクト本体部が、結合手段を介して前記アダプタ部材に取り外し可能に保持されるとともに、前記結合手段によって前記第２の方向への軸方向の変位に抗して固定されている。これにより、コンタクト本体部へのケーブルの容易な取付が保証され、このコンタクト本体部がハウジングへ単独で差し込まれることができるため、このとき、取付箇所に容易にアクセス可能である。
【０００６】
このとき、差し込み取付のために、アダプタ部材には少なくとも１つの異形化された延長部が設けられており、この延長部は、第１のハウジング部分の対応する溝にはめ込まれることが可能である。この原理の逆、すなわち延長部がハウジング部分にあり、溝がアダプタ部材にあることも同様に可能である。このとき、異形化された延長部と対応する溝の間には滑面が生じるため、この対は、すべり軸受を形成する。
【０００７】
このとき、アダプタ部材が、少なくとも部分的にＣ字状の輪郭部を有しており、該輪郭部へコンタクト本体部を受け入ることができれば有利である。これにより、アダプタ部材の翼形の両アームがコンタクト本体部の周りで湾曲し、これにより、コンタクト本体部が、その長手軸線に対して径方向に、その位置において最終取付まで保持される。
【０００８】
このとき、さらに、結合手段が、コンタクト本体部に形成された溝、およびアダプタ部材に形成されかつ該溝に対応して該溝に係合する突起部からなるか、又はこの逆であれば有利である。これにより、コンタクト本体部は、最終取付までその位置において固定される。
【０００９】
有利な実施形態は、アダプタ部材における溝が、上方へ開口した溝として形成されていることを特徴としている。したがって、このとき、溝は、アダプタ部材の全体的にＣ字状の形状に従うことができるか、又はＣ字状の形状の一部においてのみ形成されることができ、このとき、溝が、隙間として構成され、したがって、Ｃ字状のアダプタ部材の壁部を完全に貫通することも可能である。コンタクト本体部における突起部は、アダプタ部材における溝の形成に対応して、コンタクト本体部の外側ジャケットを完全に取り囲むことができるか、又は外側ジャケットにおいて部分的にのみ形成されることが可能である。
【００１０】
コンタクト本体部における溝の構成においては、コンタクト本体部における溝がリング状に周設して形成されている実施形態が有利である。
【００１１】
さらに、少なくとも１つのコード化溝又はコード化リブが、前記コンタクト本体部の端面側から始まって前記第２の方向へ延在しているとともに、前記コンタクト本体部の外側ジャケットにおける少なくとも１つの位置に設けられており、コンタクト本体部のカウンタパートが、対応する少なくとも１つのコード化リブ又はコード化溝を備えている場合に、有利な実施形態が存在する。このとき、２つのコード化溝の間に常に１つのコード化リブが生じることが重要である。このようなコード化により、誤った結合が防止され、これにより、操作性及び動作安全性が高められる。
【００１２】
このとき、考えられる実施形態では、アダプタ部材がコンタクト本体部のカウンタパートとなっている。したがって、アダプタ部材における少なくとも１つの対応するコード化溝又はコード化リブは、これらに対してコンタクト本体部に存在する。コンタクト本体部には複数のコード化溝又はコード化リブが存在するものの、アダプタ部材には１つのみのコード化溝又はコード化リブが存在する場合には、これにより、アダプタ部材は、アダプタ部材に対するその回転位置において調整されることができるとともに固定されることができる。
【００１３】
２つの部分からなるケーブルガイド通路が、前記取付側から差し込み側部分へ形成されており、第１のケーブルガイド通路部分が、前記第１のハウジング部分を通って前記取付側からその結合部分へ延在しており、第２のケーブルガイド通路部分が、前記第２のハウジング部分を通ってその結合部分から前記第２のハウジング部分の前記差し込み側の部分の方向へ延在していれば、有利な実施形態が存在する。このとき、ケーブルガイド通路は、ケーブルの収容のためにも、またそのガイドとしても機能する。ケーブルガイドは、ハウジング壁部の内側輪郭部によって得ることができ、このハウジング壁部は、ハウジングを通したケーブルの挿入及び貫通を容易にするものである。
【００１４】
コンタクト本体部と第２のハウジング部分の間に第１のシールが設けられていれば、有用であり、したがって有利である。これにより、ハウジングの内部は、塵埃、他の汚れから、そしてある程度の圧力限度まで流体から保護される。
【００１５】
このとき、前記第１のハウジング部分と前記第２のハウジング部分の間に第２のシールが設けられており、好ましくは、該シールが、前記第１のハウジング部分の外側ジャケットに形成された溝状の収容部に設けられていれば、同様に有利である。これにより、ハウジングは、その接合箇所においても、塵埃、汚れに対して、そしてある程度の圧力限度まで流体に対して密閉されている。
【００１６】
このとき、２つの部分からなるハウジングが金属材料を含んでいれば特に厳しい周囲条件に対して有利である。これにより、ハウジングは、より強い負荷を受けることが可能であるとともに、より抵抗性を有する。
【００１７】
このような電気的アングルコネクタの取付は、
１つ又は複数のケーブルを、ケーブルガイド通路を通して第１のハウジング部分の取付側から前記第１のハウジング部分の結合部分まで通すステップと、
１つ又は複数のケーブルを少なくとも１つのコンタクト要素へ接続し、該コンタクト要素をその端部位置又は係止位置でコンタクト本体部へ差し込むステップと、
前記コンタクト本体部が結合手段によって保持されるように、前記コンタクト本体部をその取付位置において前記アダプタ部材へ差し込み、これにつづいて、前記第１のハウジング部分にアダプタ部材を取り付け、その結果、前記コンタクト本体部が前記アダプタ部材を介して前記第１のハウジング部分に結合されるか、又はこれに代えて前記アダプタ部材をその取付位置において前記第１のハウジング部分へ差し込み、これにつづいて、前記コンタクト本体部を前記アダプタ部材に取り付け、その結果、前記コンタクト本体部が前記結合手段によって保持されるステップと、
前記第２のハウジング部分と前記コンタクト本体部の間の第１のシールと、前記第１のハウジング部分と前記第２のハウジング部分の間の第２のシールが密閉されるように、前記結合部分が互いに重なるまで前記第２のハウジング部分を前記コンタクト本体部を越えて押し込むステップと、
前記第２のハウジング部分を前記第１のハウジング部分に固定するステップとによって行われる。このことは、第２のハウジング部分とハウジング部分のうち第１のハウジング部分とを互いの中へねじ止めし、クリップ留めするか、又は同等の措置によって行われることが可能である。
【００１８】
本発明の他の有利な発展形態は、従属請求項において特徴付けられているか、あるいは、以下において、図面に基づく本発明の好ましい実施形態の説明と共に詳細に示される。
【図面の簡単な説明】
【００１９】
【図１】アングルコネクタの全体図である。
【図２】第２のハウジング部分を有さないアングルコネクタを示す図である。
【図３】アングルコネクタの部分図である。
【図４】第２のハウジング部分を示す図である。
【図５】第２のハウジング部分を示す回転された図である。
【図６】コンタクト本体部の実施形態を示す図である。
【図７】コンタクト本体部の実施形態の回転された図である。
【図８】コンタクト本体部の別の実施形態を示す図である。
【図９】コンタクト本体部の別の実施形態の回転された図である。
【図１０】アングルコネクタを回転位置における第２のハウジング部分とコンタクト本体部の断面と共に示す正面図である。
【図１１】アングルコネクタを別の回転位置における第２のハウジング部分とコンタクト本体部の断面と共に示す正面図である。
【図１２】アングルコネクタをさらに別の回転位置における第２のハウジング部分とコンタクト本体部の断面と共に示す正面図である。
【図１３】アングルコネクタを第２のハウジング部分の断面と共に示すとともに、回転位置におけるコンタクト本体部の代替的な実施形態を示す正面図である。
【図１４】アングルコネクタを第２のハウジング部分の断面と共に示すとともに、他の回転位置におけるコンタクト本体部の代替的な実施形態を示す正面図である。
【図１５】アングルコネクタを第２のハウジング部分の断面と共に示すとともに、さらに別の回転位置におけるコンタクト本体部の代替的な実施形態を示す正面図である。
【発明を実施するための形態】
【００２０】
各図は、例示的で概略的なものである。各図における同一の参照符号は、同一の機能及び／又は構造的な特徴を示すものである。
【００２１】
図１では、アングルコネクタ１を、その組み立てられた状態で、すなわち両ハウジング部分１０，２０と共に見て取ることができ、ハウジング部分１０，２０に含まれる結合部分１０ｂ，２０ｂを、ハウジング部分１０の取付側１０ａと、ハウジング部分２０の差し込み側部分２０ａと共に見て取ることができる。さらに、コンタクト本体部４０、ならびに第１の方向Ｘ及び第２の方向Ｙを見て取ることができる。
【００２２】
図２には、ハウジング部分２０を有さないアングルコネクタ１が示されている。これにより、第１のハウジング部分１０、その取付側１０ａ、その結合部分１０ｂ及びコンタクト本体部４０のほかに、ケーブルガイド通路部分１１も見て取ることができる。さらに、第２のハウジング部分２０が欠如していることにより、アダプタ部材３０と、コンタクト本体部側の結合手段６０と、第１の方向Ｘとを見て取ることができる。
【００２３】
図３には、図２におけるような、ただし更にコンタクト本体部４０を有さないアングルコネクタが示されており、これにより、アダプタ側の結合手段６１も視認可能である。
【００２４】
図４には第２のハウジング部分２０のみが示されており、これにより、その結合部分２０ｂ、その差し込み側の部分２０ａ及びケーブルガイド通路２１を見て取ることができる。
【００２５】
図５は、図４に対して回転された図であり、この図には、図４のように、ハウジング部分２０及びその差し込み側部分２０ａが示されている。
【００２６】
図６では、コンタクト本体部４０及びその結合手段６０の一実施形態を見て取ることができる。
【００２７】
図７には、図６に対してコンタクト本体部４０の長手軸線周りに１８０°回転された図が示されており、これにより、さらに、その結合手段６０及びコンタクト本体部４０の下側を見て取ることができる。
【００２８】
図８では、コンタクト本体部４０及び周設された溝として構成されたその結合手段６０の代替的な実施形態を見て取ることができる。
【００２９】
図９には、図８に対してコンタクト本体部４０の長手軸線周りに１８０°回転された図が示されており、これにより、さらに、その結合手段６０及びコンタクト本体部４０の下側を見て取ることができる。
【００３０】
図１０〜図１２には、それぞれアングルコネクタ１の断面図が示されており、コンタクト本体部４０は、それぞれ、他のコード化溝の係合により他のアングル位置を占める。これにより、これらの図においては、それぞれ第１のハウジング部分１０を取付側１０ａと共に見て取ることができるとともに、アダプタ３０及びコンタクト本体部４０の断面を見て取ることができる。さらに、結合手段６０，６１及び第１の方向Ｘも視認可能である。
【００３１】
図１３〜図１５には、それぞれアングルコネクタ１の代替的な形態の断面図が示されており、コンタクト本体部４０は、それぞれ、他のコード化溝の係合により他のアングル位置を占める。これにより、これらの図においては、それぞれ第１のハウジング部分１０を取付側１０ａと共に見て取ることができるとともに、アダプタ３０及びコンタクト本体部４０の断面を見て取ることができる。さらに、結合手段６０，６１及び第１の方向Ｘも視認可能である。
【００３２】
本発明は、その構成において、上述の好ましい実施例に限定されるものではない。むしろ、基本的に異なる態様の実施においても図示の解決手段を使用する変化態様の数も考えられる。
【符号の説明】
【００３３】
１                アングルコネクタ
１０              第１のハウジング部分
１０ａ            取付側
１０ｂ            結合部分
１１              ケーブルガイド通路部分
２０              第２のハウジング部分
２０ａ            差し込み側部分
２０ｂ            結合部分
２１              ケーブルガイド通路
３０              アダプタ部材
４０              コンタクト本体部
６０              結合手段
６１              アダプタ側の結合手段
Ｘ                第１の方向
Ｙ                第２の方向
【図１】
2019520685.tif 000003
【図２】
2019520685.tif 000004
【図３】
2019520685.tif 000005
【図４】
2019520685.tif 000006
【図５】
2019520685.tif 000007
【図６】
2019520685.tif 000008
【図７】
2019520685.tif 000009
【図８】
2019520685.tif 000010
【図９】
2019520685.tif 000011
【図１０】
2019520685.tif 000012
【図１１】
2019520685.tif 000013
【図１２】
2019520685.tif 000014
【図１３】
2019520685.tif 000015
【図１４】
2019520685.tif 000016
【図１５】
2019520685.tif 000017
【国際調査報告】
2019520685.tif 000018
2019520685.tif 000019
2019520685.tif 000020
2019520685.tif 000021